(57)【要約】【課題】包装容器内の乾燥剤と内容物とが接触せず、しかも内容物に対する乾燥剤の防湿作用が損なわれないようにする。【解決手段】  乾燥剤入り包装容器（Ａ）は防湿性材料よりなり、通気部（４）を有する仕切り部（１）を介して内容物収容室（２）と乾燥剤収容室（３）が形成せられ、防湿性材料はＡｌ箔芯層（５）、ＰＰ内層（６）およびＰＥＴ外層（７）を備えた積層材（８）で、長方形の積層材（８）が２枚重ねられ、重なった長さ方向の対向する２辺の縁部（９）どうしが融着せられるとともに、仕切り部（１）となるべき所の重なった部分が通気部（４）となるべき所を２つ残して融着せられ、内容物収容室（２）となるべき所に内容物を、乾燥剤収容室（３）となるべき所に乾燥剤（１０）をそれぞれ配して残りの幅方向の対向する２辺の縁部（１１）どうしが融着せられているものである。【選択図】        図２
2005350099.tif 000002
【特許請求の範囲】
【請求項１】
全体が防湿性材料よりなり、仕切り部を介して内容物収容室と乾燥剤収容室が形成されており、仕切り部に両室を連通させる通気部が設けられている乾燥剤入り包装容器。
【請求項２】
防湿性材料が、アルミニウム箔またはガスバリヤ性を有するフイルムよりなる芯層と、熱可塑性合成樹脂よりなる内外層とを備えた積層材である請求項１記載の乾燥剤入り包装容器。
【請求項３】
長方形の積層材が２枚重ねられ、重なった長さ方向の対向する２辺の縁部どうしが融着せられるとともに、仕切り部となるべき所の重なった部分が通気部となるべき所を１または複数残して融着せられ、内容物収容室となるべき所に内容物を、乾燥剤収容室となるべき所に乾燥剤をそれぞれ配して残りの幅方向の対向する２辺の縁部どうしが融着せられ、内容物収容室、乾燥剤収容室および仕切り部が形成せられている請求項２記載の乾燥剤入り包装容器。
【請求項４】
積層材が容器の長さの略２倍の長さの長方形であり、この長方形の積層材が、内容物収容室となるべき所に内容物を、乾燥剤収容室となるべき所に乾燥剤をそれぞれ配して２つ折りせられ、重なった３辺の縁部どうしが融着せられるとともに、仕切り部となるべき所の対向部分が通気部となるべき所を１または複数残して融着せられ、内容物収容室、乾燥剤収容室および仕切り部が形成せられている請求項２記載の乾燥剤入り包装容器。
【請求項５】
内容物収容室および乾燥剤収容室となるべき所が凹所となされるとともに、周囲および仕切り部となるべき所が平坦部となされた積層材製容体と、容体全体を覆う平坦な積層材製蓋とよりなり、仕切り部となるべき所の平坦部が通気部となるべき所を１または複数残して蓋に融着せられ、内容物収容室となるべき凹所に内容物を、乾燥剤収容室となるべき凹所に乾燥剤をそれぞれ入れて蓋が容体に被せられ、容体の周囲の平坦部が蓋に融着せられ、内容物収容室、乾燥剤収容室および仕切り部が形成せられている請求項２記載の乾燥剤入り包装容器。
【請求項６】
長方形の積層材が２枚、仕切り部となるべき所に通気性材料よりなる仕切り部材を介在させて重ねられ、重なった長さ方向の対向する２辺の縁部どうしが融着せられるとともに、仕切り部材と積層材との接する部分が融着せられ、内容物収容室となるべき所に内容物を、乾燥剤収容室となるべき所に乾燥剤をそれぞれ配して残りの幅方向の対向する２辺の縁部どうしが融着せられ、内容物収容室、乾燥剤収容室および仕切り部が形成せられている請求項２記載の乾燥剤入り包装容器。
【請求項７】
積層材が容器の長さの略２倍の長さの長方形であり、この長方形の積層材が、内容物収容室となるべき所に内容物を、乾燥剤収容室となるべき所に乾燥剤を、仕切り部となるべき所に通気性材料よりなる仕切り部材をそれぞれ配して２つ折りせられ、重なった３辺の縁部どうしが融着せられるとともに、仕切り部材と積層材との接する部分が融着せられ、内容物収容室、乾燥剤収容室および仕切り部が形成せられている請求項２記載の乾燥剤入り包装容器。
【請求項８】
仕切り部材が不織布であり、折り目が仕切り部の長さ方向にのびるように２つ折りせられている請求項６または７記載の乾燥剤入り包装容器。
【発明の詳細な説明】
【技術分野】
【０００１】
本発明は、乾燥剤入り包装容器に関する。
【背景技術】
【０００２】
防湿性を要求せられる医薬品、化粧品、菓子・調味料のような食品、電子部品等が包装容器に収められるさいは、乾燥剤も一緒に包装容器に入れられる。この乾燥剤が粒状の場合は、通気性を有する材料よりなる扁平状の小さな袋に入られ、固形状の場合は、そのまま包装容器に封入せられる。
【０００３】
このような形態の乾燥剤は、包装容器の内容物収容容積を大きく占有するばかりか、内容物を包装容器から取り出すさい、いちいち乾燥剤を避けなければならないという面倒さがあった。また、乾燥剤の種類によっては防湿効果が強すぎ、これが内容物に接触すると、内容物に部分的な変色や変質が生じることがあった。さらに、乾燥剤が固形状の場合、内容物である食品によっては、乾燥剤と区別がつきにくいことがあり、誤食するおそれがあった。
【０００４】
ところで、乾燥剤と内容物とが接触しないように、内容物の収められた熱可塑性合成樹脂よりなる包装袋本体のシール前の口部内側に、乾燥剤の入れられた熱可塑性合成樹脂よりなる小袋を口部が開いた状態のまま口部側を差し込み、包装袋本体の口部を融着することにより、小袋と包装袋本体とを連通状態にして小袋と包装袋本体とを一体化したものが、下記特許文献１に開示せられている。しかしながら、これは製造が複雑であり、また小袋の口部が開いたままであるから、乾燥剤が小袋からとびだして包装袋本体内に入り、包装袋本体の内容物と接触するおそれがある。
【特許文献１】特開平５−２２１４６５号公報
【発明の開示】
【発明が解決しようとする課題】
【０００５】
本発明の目的は、上記の問題を解消するため、乾燥剤と内容物とが接触せず、しかも内容物に対する乾燥剤の防湿作用が損なわれない乾燥剤入り包装容器を提供することにある。
【課題を解決するための手段】
【０００６】
請求項１の発明による乾燥剤入り包装容器は、全体が防湿性材料よりなり、仕切り部を介して内容物収容室と乾燥剤収容室が形成されており、仕切り部に両室を連通させる通気部が設けられているものである。
【０００７】
請求項２の発明は、請求項１記載の乾燥剤入り包装容器において、防湿性材料が、アルミニウム箔またはガスバリヤ性を有するフイルムよりなる芯層と、熱可塑性合成樹脂よりなる内外層とを備えた積層材であるものである。
【０００８】
請求項３の発明は、請求項２記載の乾燥剤入り包装容器において、長方形の積層材が２枚重ねられ、重なった長さ方向の対向する２辺の縁部どうしが融着せられるとともに、仕切り部となるべき所の重なった部分が通気部となるべき所を１または複数残して融着せられ、内容物収容室となるべき所に内容物を、乾燥剤収容室となるべき所に乾燥剤をそれぞれ配して残りの幅方向の対向する２辺の縁部どうしが融着せられ、内容物収容室、乾燥剤収容室および仕切り部が形成せられているものである。
【０００９】
請求項４の発明は、請求項２記載の乾燥剤入り包装容器において、積層材が容器の長さの略２倍の長さの長方形であり、この長方形の積層材が、内容物収容室となるべき所に内容物を、乾燥剤収容室となるべき所に乾燥剤をそれぞれ配して２つ折りせられ、重なった３辺の縁部どうしが融着せられるとともに、仕切り部となるべき所の対向部分が通気部となるべき所を１または複数残して融着せられ、内容物収容室、乾燥剤収容室および仕切り部が形成せられているものである。
【００１０】
請求項５の発明は、請求項２記載の乾燥剤入り包装容器において、内容物収容室および乾燥剤収容室となるべき所が凹所となされるとともに、周囲および仕切り部となるべき所が平坦部となされた積層材製容体と、容体全体を覆う平坦な積層材製蓋とよりなり、仕切り部となるべき所の平坦部が通気部となるべき所を１または複数残して蓋に融着せられ、内容物収容室なるべき凹所に内容物を、乾燥剤収容室となるべき凹所に乾燥剤をそれぞれ入れて蓋が容体に被せられ、容体の周囲の平坦部が蓋に融着せられ、内容物収容室、乾燥剤収容室および仕切り部が形成せられているものである。
【００１１】
請求項６の発明は、請求項２記載の乾燥剤入り包装容器において、長方形の積層材が２枚、仕切り部となるべき所に通気性材料よりなる仕切り部材を介在させて重ねられ、重なった長さ方向の対向する２辺の縁部どうしが融着せられるとともに、仕切り部材と積層材との接する部分が融着せられ、内容物収容室となるべき所に内容物を、乾燥剤収容室となるべき所に乾燥剤をそれぞれ配して残りの幅方向の対向する２辺の縁部どうしが融着せられ、内容物収容室、乾燥剤収容室および仕切り部が形成せられているものである。
【００１２】
請求項７の発明は、請求項２記載の乾燥剤入り包装容器において、積層材が容器の長さの略２倍の長さの長方形であり、この長方形の積層材が、内容物収容室となるべき所に内容物を、乾燥剤収容室となるべき所に乾燥剤を、仕切り部となるべき所に通気性材料よりなる仕切り部材をそれぞれ配して２つ折りせられ、重なった３辺の縁部どうしが融着せられるとともに、仕切り部材と積層材との接する部分が融着せられ、内容物収容室、乾燥剤収容室および仕切り部が形成せられているものである。
【００１３】
請求項８の発明は、請求項５または６記載の乾燥剤入り包装容器において、仕切り部材が不織布であり、折り目が仕切り部の長さ方向にのびるように２つ折りせられているものである。
【００１４】
乾燥剤の具体例としては、シリカゲル、石灰、塩化カルシウム等が挙げられるが、安全性および経済性に優れたものが好ましく、形状は、薄いシート状が好ましい。
【発明の効果】
【００１５】
本発明の乾燥剤入り包装容器によれば、全体が防湿性材料よりなり、仕切り部を介して内容物収容室と乾燥剤収容室が形成されているから、内容物収容容積の一部が乾燥剤によって占有されることもなく、内容物を包装容器から取り出すさいに乾燥剤を避ける必要もないし、固形状乾燥剤を誤食するおそれもない。また、乾燥剤が内容物に接触しないので、内容物に部分的な変色や変質が生じることもないし、両室間に仕切り部があることにより、乾燥剤が乾燥剤収容室からとびだして内容物収容室に移ることもない。さらに、仕切り部に両室を連通させる通気部が設けられているから、乾燥剤は内容物に対して防湿作用を発揮するが、この作用は通気部を通して徐徐に行なわれるので、乾燥剤作用に持続性を与えるという利点もある。
【発明を実施するための最良の形態】
【００１６】
本発明の実施の形態を、以下図面を参照して説明する。
［実施形態１］
【００１７】
この実施形態は、図１および図２に示すものであり、同図の乾燥剤入り包装容器（Ａ）は、全体が防湿性材料よりなり、仕切り部（１）を介して内容物収容室（２）と乾燥剤収容室（３）が形成されており、仕切り部（１）に両室（２）（３）を連通させる通気部（４）が設けられているものである。防湿性材料は、図５に示すように、アルミニウム箔芯層（５）と、ポリプロピレン内層（６）と、ポリエチレンテレフタレート外層（７）とを備えた積層材である。すなわち、乾燥剤入り包装容器（Ａ）は、長方形の積層材（８）が２枚重ねられ、重なった長さ方向の対向する２辺の縁部（９）どうしが融着せられるとともに、仕切り部（１）となるべき所の重なった部分が通気部（４）となるべき所を２つ残して融着せられ、内容物収容室（２）となるべき所に内容物を、乾燥剤収容室（３）となるべき所に乾燥剤（１０）をそれぞれ配して（図２の鎖線で示す状態）残りの幅方向の対向する２辺の縁部（１１）どうしが融着せられているものである
［実施形態２］
【００１８】
この実施形態は、図３に示すものであり、積層材（１２）は、容器の長さの略２倍の長さの長方形で、この長方形の積層材（１２）が、内容物収容室（１）となるべき所に内容物を、乾燥剤収容室（２）となるべき所に乾燥剤（９）をそれぞれ配して２つ折りせられ、重なった３辺の縁部（１０）どうしが融着せられるとともに、仕切り部（１）となるべき所の対向部分が通気部（４）となるべき所を２つ残して融着せられ、乾燥剤入り包装容器（Ｂ）となされているものである。
［実施形態３］
【００１９】
この実施形態は、図４に示すものであり、同図の乾燥剤入り包装容器（Ｃ）は、内容物収容室（１３）および乾燥剤収容室（１４）となるべき所が凹所（１５）（１６）となされるとともに，周囲および仕切り部（１７）となるべき所が平坦部（１８）となされた積層材製容体（１９）と、容体全体を覆う平坦な積層材製蓋（２０）とよりなり、内容物収容室（１３）なるべき凹所（１５）に内容物を、乾燥剤収容室（１４）となるべき凹所（１６）に乾燥剤（２１）をそれぞれ入れて蓋（２０）が容体（１９）に被せられ、容体（１９）の周囲の平坦部（１８）が蓋（２０）に融着せられるとともに、仕切り部（１７）となるべき所の平坦部（１８）が通気部（２１）となるべき所を２つ残して蓋（２０）に融着せられているものである。
［実施形態４］
【００２０】
この実施形態は、図５に示すものであり、同図の乾燥剤入り包装容器（Ｄ）は、長方形の積層材（８）が２枚、内容物収容室（２２）と乾燥剤収容室（２３）の仕切り部（２４）となるべき所に断面くの字状不織布よりなる通気性仕切り部材（２５）を介在させて重ねられ、重なった長さ方向の対向する２辺の縁部（図１の（９）に相当する部分）どうしが融着せられるとともに、仕切り部材（２５）と積層材（８）との接する部分（２６）が融着せられ、内容物収容室（２２）となるべき所に内容物を、乾燥剤収容室（２３）となるべき所に乾燥剤（１０）をそれぞれ配して残りの幅方向の対向する２辺の縁部（１１）どうしが融着せられ、内容物収容室（２２）、乾燥剤収容室（２３）および仕切り部(２４)が形成せられているものである。
［実施形態５］
【００２１】
この実施形態は、図示を省略したが、図２に示す実施形態２と同様に容器の長さの略２倍の長さの長方形の積層材を用いたものであり、この長方形の積層材が、内容物収容室となるべき所に内容物を、乾燥剤収容室となるべき所に乾燥剤を仕切り部となるべき所に断面くの字状不織布よりなる通気性仕切り部材をそれぞれ配して２つ折りせられ、重なった３辺の縁部どうしが融着せられるとともに、不織布と積層材との接する部分が融着せられ、乾燥剤入り包装容器となされているものである。
【図面の簡単な説明】
【００２２】
【図１】本発明の実施形態１を示す一部を切り欠いた平面図である。
【図２】図１のII−II線に沿う断面図である。
【図３】本発明の実施形態２を示す図２相当の断面図である。
【図４】本発明の実施形態３を示す図２相当の断面図である。
【図５】本発明の実施形態４を示す図２相当の断面図である。
【図６】積層材の部分拡大断面図である。
【符号の説明】
【００２３】
（１）（１７）（２４）  仕切り部
（２）（１３）（２２）  内容物収容室
（３）（１４）（２３）  乾燥剤収容室
（４）（２１）  通気部
（５）  アルミニウム箔芯層
（６）  熱可塑性合成樹脂（ポリプロピレン）よりなる内層
（７）  熱可塑性合成樹脂（ポリエチレンテレフタレート）よりなる外層
（８）（１２）  積層材
（９）  長方形の積層材の長さ方向の縁部
（１０）（２１）  乾燥剤
（１１）  長方形の積層材の幅方向の縁部
（１５）  内容物収容室なるべき凹所
（１６）  乾燥剤収容室となるべき凹所
（１８）  容体の周囲の平坦部
（１９）  積層材製容体
（２０）  積層材製蓋
（２５）  通気性材料よりなる仕切り部材
（２６）  仕切り部材と積層材との接する部分
【図１】
2005350099.tif 000003
【図２】
2005350099.tif 000004
【図３】
2005350099.tif 000005
【図４】
2005350099.tif 000006
【図５】
2005350099.tif 000007
【図６】
2005350099.tif 000008